(57)【要約】      （修正有）【課題】放送を補完する際に、通信が使用できない場合、および、放送における階層補完もできない場合でも、放送の補完を可能とする。【解決手段】放送受信装置は、アンテナ、受信部３、復号部４、補完処理部５、表示制御部６、表示部７、音声制御部８、スピーカ９、通信部、時計部１１、記憶部、ＣＰＵから構成され、この構成により、受信できない部分と同様の内容を含む過去の番組を見つけて補完することができる。【選択図】図２
2011176658.tif 000002
【特許請求の範囲】
【請求項１】
放送波を取得する受信部と、
放送信号を復号する復号部と、
番組情報を基に放送を補完する補完処理部と、
現在時刻を計時する時計部と、
を有する放送受信装置であって、
前記補完処理部は、
番組情報、映像信号、音声信号およびデータ信号を記憶する番組記録部と、
番組情報および現在時刻を取得する欠落内容特定部と、
番組情報および前記欠落内容特定部からの情報を取得する補完シーン決定部と、
前記補完シーン決定部からの補完情報を基に前記番組記録部から補完シーンを取得する補完シーン抽出部と、
を有することを特徴とする放送受信装置。
【請求項２】
請求項１に記載の放送受信装置であって、
前記番組情報とは、放送時刻、放送チャネル、番組名、番組内容および番組表である
ことを特徴とする放送受信装置。
【請求項３】
請求項１に記載の放送受信装置であって、
前記欠落内容特定部は、前記番組情報と、現在時刻を基に欠落時刻と欠落番組内容を前記補完シーン決定部に出力する
ことを特徴とする放送受信装置。
【請求項４】
請求項１に記載の放送受信装置であって、
前記補完シーン決定部は、前記番組情報と、前記欠落内容特定部が出力する欠落番組情報を基に補完番組情報を前記補完シーン抽出部に出力する
ことを特徴とする放送受信装置。
【請求項５】
請求項１に記載の放送受信装置であって、
前記補完処理部は、前記番組情報を基に前記番組記録部に記録の指示をする補完方法決定部を有する
ことを特徴とする放送受信装置。
【請求項６】
請求項１に記載の放送受信装置であって、
前記補完方法決定部は、前記番組情報を基に、視聴番組と酷似する番組を特定し、
前期番組の記録を前記番組記録部に指示する
ことを特徴とする放送受信装置。
【請求項７】
請求項１に記載の放送受信装置であって、
前記補完方法決定部は、前記番組情報を基に、視聴番組と酷似する番組が無い場合、
視聴番組のデータ信号の記録を前記番組記録部に指示する
ことを特徴とする放送受信装置。
【請求項８】
請求項１に記載の放送受信装置であって、
前記補完処理部は、前記番組情報から、番組内における放送内容の開始時刻を取得することを特徴とする放送受信装置。
【発明の詳細な説明】
【技術分野】
【０００１】
本発明は、放送が受信できない際に放送番組の内容を補完する放送受信装置に関する。
【背景技術】
【０００２】
２００３年に開始された地上デジタル放送は、今日ではさまざまな受信形態の機器で普及が進んでいる。固定テレビ向けの放送と、モバイル機器向けの放送（以下ワンセグ（登録商標）と表記する）の両方に対応した受信機が、車載テレビを中心に現在市場で販売されている。
【０００３】
自動車は、移動受信するため固定テレビ向け放送が受信できないことが容易に発生する。その際に、ワンセグの情報を基にして放送を補完する、いわゆる階層補完の技術がよく用いられている。
【０００４】
特許文献１では高ビットレートの放送が受信できなくなった時に、低ビットレートの放送の情報を基に補完を行っている。また、低ビットレートの放送でも補完できない場合は、通信を利用して補完処理を行っている。
【先行技術文献】
【特許文献】
【０００５】
【特許文献１】特開２００３−２９８５４１号公報
【発明の概要】
【発明が解決しようとする課題】
【０００６】
しかしながら、上述した特許文献１には、階層補完または通信補完を実施しているものの、補完処理が必要な際に、通信が使用できず、さらに低ビットレートの放送も受信できない状況では、放送番組内容の補完をすることができないという課題があった。
【０００７】
本発明は、上述の課題を解決するもので、放送番組の内容を補完する際に、通信が使用できない場合、および、放送における階層補完もできない場合に、放送を受信している端末内部で放送を補完する放送受信装置を提供することを目的とする。
【課題を解決するための手段】
【０００８】
本発明の放送受信装置は、放送波を取得する受信部と、放送信号を復号する復号部と、番組情報を基に放送を補完する補完処理部と、現在時刻を計時する時計部を有し、前記補完処理部は、番組情報、映像信号、音声信号およびデータ信号を記憶する番組記録部と、番組情報および現在時刻を取得する欠落内容特定部と、番組情報および前記欠落内容特定部からの情報を取得する補完シーン決定部と、前記補完シーン決定部からの補完情報を基に前記番組記録部から補完シーンを取得する補完シーン抽出部を有する構成を採る。
【０００９】
また、本発明の放送受信装置において、前記番組情報として、放送時刻、放送チャネル、番組名、番組内容および番組表を用いることとした。
【００１０】
また、本発明の放送受信装置は、前記欠落内容特定部が、番組情報と、現在時刻を基に欠落時刻と欠落番組内容を前記補完シーン決定部に出力する構成を採る。
【００１１】
また、本発明の放送受信装置は、前記補完シーン決定部が、番組情報と、前記欠落内容特定部が出力する欠落番組情報を基に補完番組情報を前記補完シーン抽出部に出力する構成を採る。
【００１２】
また、本発明の放送受信装置は、前記補完処理部が、番組情報から、番組内における放送内容の開始時刻を取得する構成を採る。
【００１３】
上記構成によれば、欠落時刻、欠落番組内容に基づいて過去に記録した記録番組から補完時刻と補完番組を特定する補完シーン決定部を設けることで、受信できない部分と同様の内容を含む過去の番組を見つけて補完することができる。
【００１４】
また、本発明の放送受信装置は、前記補完処理部が、番組情報を基に前記番組記録部に記録の指示をする補完方法決定部を有する構成を採る。
【００１５】
また、本発明の放送受信装置は、前記補完方法決定部が、番組情報を基に、視聴番組と酷似する番組を特定し、前期番組の記録を前記番組記録部に指示する構成を採る。
【００１６】
また、本発明の放送受信装置は、前記補完方法決定部が、視聴番組と酷似する番組が無い場合、視聴番組のデータ信号の記録を前記番組記録部に指示する構成を採る。
【００１７】
上記構成によれば、補完用にあらかじめ記録しておく必要のある番組を、視聴中の番組に基づいて判断する補完方法決定部を設けることで、補完に用いる可能性の高い番組だけを補完番組記録部で記録することができる。
【００１８】
また、上記構成によれば、同じ内容が繰り返し放送されていない番組については、データ放送のデータを補完番組記録部に記録しておき、補完に用いることができる。
【発明の効果】
【００１９】
本発明の放送受信装置によれば、通信できない状況で、かつ、放送波が受信できない状況においても受信できなかった放送番組の補完が可能となる。
【００２０】
また、本発明の放送受信装置によれば、全ての放送番組を記録する構成に比べて補完のために記録する情報量を低減できる。
【００２１】
さらに、本発明の放送受信装置によれば、繰り返し放送されていない番組を補完することも可能となる。
【図面の簡単な説明】
【００２２】
【図１】本発明の実施の形態１に係る放送受信装置の構成を示す図
【図２】本発明の実施の形態１における補完処理部周辺のブロック図
【図３】本発明の実施の形態１における補完処理の全体フロー図
【図４】本発明の実施の形態１における補完処理の詳細フロー図
【図５】本発明の実施の形態１における番組リストの例を示す図
【図６】本発明の実施の形態２における補完処理部周辺のブロック図
【図７】本発明の実施の形態２における補完処理の全体フロー図
【発明を実施するための形態】
【００２３】
以下に、本発明の実施の形態について、図面を参照しながら説明する。
（実施の形態１）
本実施の形態では、例えば、朝の報道番組のように同じ放送内容を時間帯毎に繰り返して放送している番組の視聴を例に挙げて説明する。以下、一定時間ごとに繰り返し放送される番組の視聴中において、受信状態が悪くなり視聴できなくなった際に、受信できなかった放送番組の補完方法について説明する。
【００２４】
図１は、本発明の実施の形態１に係る地上デジタル放送対応の放送受信装置の構成を示す図である。放送受信装置１は、アンテナ２、受信部３、復号部４、補完処理部５、表示制御部６、表示部７、音声制御部８、スピーカ９、通信部１０、時計部１１、記憶部１２、ＣＰＵ１３から構成される。
【００２５】
図２は、本発明の実施の形態１における補完処理部５とその周辺部の構成を示す図である。
【００２６】
アンテナ２は、放送信号等の無線信号を受信する。
【００２７】
受信部３は、放送信号を受信するとトランスポートストリーム（以下、ＴＳと表記する）を復号部４に出力する。また、受信部３には、放送の受信品質を判定する受信品質判定部２１を備えている。受信品質判定部２１は、受信品質の指標（例えばＲＳＳＩ、Ｃ／Ｎ、ＢＥＲなど）を用いて受信状態を監視している。受信品質判定部２１は、受信品質が視聴できない状態（例えばＢＥＲがエラーフリーでなくなる）になった場合には、補完処理部５にその旨を通知する。
【００２８】
復号部４は、受信した放送番組データに含まれる、映像データ、音声データ、番組に関するデータなどのＴＳパケットを復号し、映像信号およびデータ放送信号を表示制御部６へ出力し、音声信号を音声制御部８へ出力する。また、復号部４はＴＳをそのまま処理せずに番組記録部２３へ出力する。さらに、復号部４はＴＳパケットから現在視聴している番組の番組情報を欠落内容特定部２２へ出力する。
【００２９】
時計部１１は、現在時刻を欠落内容特定部２２へ出力する。
【００３０】
欠落内容特定部２２は、番組情報と現在時刻を基に欠落時刻、欠落番組内容を補完シーン決定部２４へ出力する。
【００３１】
番組記録部２３は、記録された番組の番組情報を補完シーン決定部２４へ出力する。また、補完シーン抽出部２５から補完シーン抽出の指示があった場合は、補完シーンを補完シーン抽出部２５へ出力する。
【００３２】
補完シーン決定部２４は、記録された番組の番組情報および欠落時刻、欠落番組内容を基に補完時刻、補完シーン情報を決定し、補完シーン抽出部２５へ出力する。
【００３３】
補完シーン抽出部２５は、補完時刻、補完シーン情報を基に番組記録部２３に補完シーンの取得を指示し、番組記録部２３から補完シーンを抽出後、映像信号、および、データ放送信号を表示制御部６へ、音声信号を音声制御部８へ出力する。
【００３４】
図３に本発明の実施の形態１における補完処理の全体フローを示す。
【００３５】
番組記録部２３は、常にＴＳを記録している（ステップＳ１）。
【００３６】
その後、受信品質判定部２１で受信品質を参照する（ステップＳ２）。
【００３７】
受信品質がある閾値（例えばＢＥＲが２．０×１０−４）より小さい場合はステップＳ１へ戻り、閾値より大きい場合は補完処理（ステップＳ４）へ遷移する（ステップＳ３）。
【００３８】
図４に本発明の実施の形態１における補完処理の詳細フローを示す。
【００３９】
欠落内容特定部２２は、ＴＳから現在放送されている番組の放送時刻、放送チャネル、番組名、番組内容を取得し図５に示すような番組リストを作成する（ステップＳ２０）。
【００４０】
放送時刻は、番組情報テーブル（ＥＩＴ）の短形式イベント記述子（ｓｈｏｒｔ＿ｅｖｅｎｔ＿ｄｅｓｃｒｉｐｔｏｒ）の番組記述（ｔｅｘｔ＿ｃｈａｒ）を参照する。番組記述（ｔｅｘｔ＿ｃｈａｒ）には、予め「トップニュース６時００分００秒、スポーツ６時１５分００秒、特集６時１５分００秒」と各放送内容における開始時刻の記載がされているので、その値を参照することで放送時刻を把握する。
【００４１】
放送チャネルは、ネットワーク情報テーブル（ＮＩＴ）のＴＳ情報記述子（ｔｓ＿ｉｎｆｏｒｍａｔｉｏｎ＿ｄｅｓｃｒｉｐｔｏｒ）のなかのリモコンキーＩＤ（ｒｅｍｏｔｅ＿ｃｏｎｔｒｏｌ＿ｋｅｙ＿ｉｄ）を参照する。
【００４２】
番組名は、番組情報テーブル（ＥＩＴ）の番組名（ｅｖｅｎｔ＿ｎａｍｅ＿ｃｈａｒ）を参照する。
【００４３】
番組内容はＥＩＴの短形式イベント記述子（ｓｈｏｒｔ＿ｅｖｅｎｔ＿ｄｅｓｃｒｉｐｔｏｒ）の番組記述（ｔｅｘｔ＿ｃｈａｒ）を参照する。
【００４４】
また、欠落内容特定部２２は、時計部１１から現在時刻を取得する（ステップＳ２１）。
【００４５】
欠落内容特定部２２は、時計部１１から取得した現在時刻を欠落時刻として補完シーン決定部２４へ出力する（ステップＳ２３）。
【００４６】
さらに、番組リストを参照して欠落時刻に該当する番組内容を欠落番組内容とし、補完シーン決定部２４へ出力する（ステップＳ２４）。図５の番組リストを例として欠落番組内容の特定方法について説明する。例えば、7時１３分００秒に視聴していた番組で欠落が発生したと仮定すると、番組リストでその時間に放送している番組内容を参照する。すると、この場合はスポーツとなるので欠落番組内容はスポーツとなる。
【００４７】
補完シーン決定部２４は、過去に放送した番組が記録してある番組記録部２３から放送時刻、放送チャネル、番組名、番組内容を取得し、図５に示すような番組リストを作成する（ステップＳ２５）。
【００４８】
ここで、番組記録部２３は、記録内容を確認し、視聴番組の過去の記録にデータ放送が記録されているかを確認する。データ放送が記録されていない場合は、ステップＳ２７へ遷移し、記録されている場合はステップＳ２９へ遷移する（ステップＳ２６）。
【００４９】
補完シーン決定部２４は、番組リストに視聴番組の情報と、視聴番組の過去に放送した情報を追加しておく。番組リストを参照して欠落時刻に放送している番組内容を把握して補完時刻を算出する（ステップＳ２７）。図５において今回の例では７時１３分００秒に欠落しているために欠落した番組内容はスポーツとなる。過去に記録した番組内容から同じスポーツがないかここで照合を行う。図５では同じスポーツが過去の６時１５分００秒から６時３０分００秒に放送されており、この部分を補完シーンとして使用する。欠落開始はスポーツが７時１０分００秒に開始してから３分００秒後なので補完時刻は過去のスポーツが開始してから３分００秒後の６時１８分００秒となる。
【００５０】
補完シーン決定部２４にて算出された補完時刻は補完シーン抽出部２５へ出力される（ステップＳ２８）。また、同時に補完する番組内容も補完シーン抽出部２５へ出力される（ステップＳ２９）。
【００５１】
補完シーン抽出部２５は、取得した補完時刻と補完シーン情報（補完する番組内容）を基にして番組記録部２３に対して該当する補完シーンの抽出を指示する（ステップＳ３０）。
【００５２】
番組記録部２３は、補完シーン抽出部２５の指示に従って該当する補完シーンを探し、補完シーン抽出部２５へ補完シーンを出力する（ステップＳ３１）。
【００５３】
補完シーン抽出部２５は、取得した補完シーンから映像信号、および、データ放送信号を表示制御部６へ、音声信号を音声制御部８へ出力する。表示制御部６および音声制御部８は補完シーン抽出部２５から補完シーンが出力された場合は、その情報を表示部７、および、スピーカ９に対して出力する（ステップＳ３２）。
（実施の形態２）
朝の報道番組のように同じ放送内容で時間帯毎に放送している番組を視聴中において、視聴ができなくなった際に、受信できなかった放送番組の補完方法について説明する。
【００５４】
実施の形態１では、補完に使用しない番組も記録していたが、これでは記録容量が無駄になる。そこで、実施の形態２では、この不要な記録を抑制する方法を以下に記載する。
【００５５】
本発明の実施の形態２に係る地上デジタル放送の放送受信装置の構成は、実施の形態１に係る地上デジタル放送の放送受信装置の構成と同様であり、図１に示す通りである。放送受信装置１は、アンテナ２、受信部３、復号部４、補完処理部５、表示制御部６、表示部７、音声制御部８、スピーカ９、通信部１０、時計部１１、記憶部１２、ＣＰＵ１３から構成される。
【００５６】
図６は、本発明の実施の形態２における補完処理部５とその周辺部の構成を示す図である。
【００５７】
アンテナ２は、放送信号等の無線信号を受信する。
【００５８】
受信部３は、放送信号を受信するとトランスポートストリーム（以下、ＴＳと表記する）を復号部４に出力する。また、受信部３には、放送の受信品質を判定する受信品質判定部２１を備えている。受信品質判定部２１は、受信品質の指標（例えばＲＳＳＩ、Ｃ／Ｎ、ＢＥＲなど）を用いて受信状態を監視している。受信品質判定部２１は、受信品質が視聴できない状態（例えばＢＥＲがエラーフリーでなくなる）になった場合には、補完処理部５にその旨を通知する。
【００５９】
復号部４は、受信した放送番組データに含まれる、映像データ、音声データ、番組に関するデータなどのＴＳパケットを復号し、映像信号およびデータ放送信号を表示制御部６へ出力し、音声信号を音声制御部８へ出力する。また、復号部４はＴＳをそのまま処理せずに番組記録部２３へ出力する。さらに、復号部４はＴＳパケットから現在視聴している番組の番組情報を欠落内容特定部２２へ出力する。
【００６０】
時計部１１は、現在時刻を欠落内容特定部２２へ出力する。
【００６１】
欠落内容特定部２２は、番組情報と現在時刻を基に欠落時刻、欠落番組内容を補完シーン決定部２４へ出力する。
【００６２】
補完方法決定部２６は、復号部から出力されるＴＳから現在視聴している番組の番組名、および、番組表を取得する。取得した現在視聴しいている番組情報を基に番組記録部２３に対して、予約録画および番組記録の開始および停止の指示を行う。
【００６３】
番組記録部２３は、記録された番組の番組情報を補完シーン決定部２４へ出力する。また、補完シーン抽出部２５から補完シーン抽出の指示があった場合は、補完シーンを補完シーン抽出部２５へ出力する。
【００６４】
補完シーン決定部２４は、記録された番組の番組情報および欠落時刻、欠落番組内容を基に補完時刻、補完シーン情報を決定し、補完シーン抽出部２５へ出力する。
【００６５】
補完シーン抽出部２５は、補完時刻、補完シーン情報を基に番組記録部２３に補完シーンの取得を指示し、番組記録部２３から補完シーンを抽出後、映像信号、および、データ放送信号を表示制御部６へ、音声信号を音声制御部８へ出力する。
【００６６】
図７に本発明の実施の形態２における補完処理の全体フローを示す。
【００６７】
補完方法決定部２６は、復号部４から出力されるＴＳの中から番組情報テーブル（ＥＩＴ）の番組名（ｅｖｅｎｔ＿ｎａｍｅ＿ｃｈａｒ）から番組名を取得し（ステップＳ５０）、
さらに番組情報テーブル（ＥＩＴ）の情報から番組表も取得する（ステップＳ５１）。
【００６８】
補完方法決定部２６は、取得した番組名および番組表から現在視聴している番組が繰り返し放送されているか判断を行う。番組表を参照して現在放送されている番組が、報道番組であり、かつ、月曜日から金曜日まで毎日放送され、かつ、2時間以上に渡り放送している番組である場合は、時間帯毎に繰り返し放送している番組と判断しステップＳ５３へ遷移し、そうでない場合はステップＳ５７へ遷移する（ステップＳ５２）。
【００６９】
ここで、補完方法決定部２６は既に予約録画がされているかを確認し、予約録画がされている場合はステップＳ５６へ遷移し、予約録画がされていない場合はステップＳ５４へ遷移する（ステップＳ５３）。
【００７０】
補完方法決定部２６は、予約録画されていない場合は番組記録部２３に対して予約録画を指示する（ステップＳ５４）。
【００７１】
番組記録部２３は、補完方法決定部２６に指示された番組を予約録画する（ステップＳ５５）。
【００７２】
補完方法決定部２６は、番組記録部２３に対して補完するための番組が記録されているかを確認し、補完する番組がある場合はステップ５８へ遷移し、ない場合はステップ５７へ遷移する（ステップＳ５６）。
【００７３】
補完方法決定部２６は、番組記録部２３に対して現在視聴している番組のデータ放送を記録するように指示する（ステップＳ５７）。
【００７４】
番組記録部２３は、指示された番組のデータ放送を記録する（ステップＳ５９）。
【００７５】
その後、受信品質判定部２１で受信品質を参照する（ステップＳ５８）。
【００７６】
受信品質がある閾値（例えばＢＥＲが２．０×１０−４）より小さい場合はステップＳ５０へ戻り、閾値より大きい場合は補完処理（ステップＳ６１）へ遷移する（ステップＳ６０）。
【００７７】
本発明の実施の形態２における補完処理の詳細フローは、実施の形態１における補完処理の詳細フロー（図４）と同様であり、これを以下に示す。
【００７８】
欠落内容特定部２２は、ＴＳから現在放送されている番組の放送時刻、放送チャネル、番組名、番組内容を取得し図５に示すような番組リストを作成する（ステップＳ２０）。
【００７９】
放送時刻は、番組情報テーブル（ＥＩＴ）の短形式イベント記述子（ｓｈｏｒｔ＿ｅｖｅｎｔ＿ｄｅｓｃｒｉｐｔｏｒ）の番組記述（ｔｅｘｔ＿ｃｈａｒ）を参照する。番組記述（ｔｅｘｔ＿ｃｈａｒ）には、予め「トップニュース６時００分００秒、スポーツ６時１５分００秒、特集６時１５分００秒」と各放送内容における開始時刻の記載がされているので、その値を参照することで放送時刻を把握する。
【００８０】
放送チャネルは、ネットワーク情報テーブル（ＮＩＴ）のＴＳ情報記述子（ｔｓ＿ｉｎｆｏｒｍａｔｉｏｎ＿ｄｅｓｃｒｉｐｔｏｒ）のなかのリモコンキーＩＤ（ｒｅｍｏｔｅ＿ｃｏｎｔｒｏｌ＿ｋｅｙ＿ｉｄ）を参照する。
【００８１】
番組名は、番組情報テーブル（ＥＩＴ）の番組名（ｅｖｅｎｔ＿ｎａｍｅ＿ｃｈａｒ）を参照する。
【００８２】
番組内容はＥＩＴの短形式イベント記述子（ｓｈｏｒｔ＿ｅｖｅｎｔ＿ｄｅｓｃｒｉｐｔｏｒ）の番組記述（ｔｅｘｔ＿ｃｈａｒ）を参照する。
【００８３】
また、欠落内容特定部２２は、時計部１１から現在時刻を取得する（ステップＳ２１）。
【００８４】
欠落内容特定部２２は、時計部１１から取得した現在時刻を欠落時刻として補完シーン決定部２４へ出力する（ステップＳ２３）。
【００８５】
さらに、番組リストを参照して欠落時刻に該当する番組内容を欠落番組内容とし、補完シーン決定部２４へ出力する（ステップＳ２４）。図５の番組リストを例として欠落番組内容の特定方法について説明する。例えば、7時１３分００秒に視聴していた番組で欠落が発生したと仮定すると、番組リストでその時間に放送している番組内容を参照する。すると、この場合はスポーツとなるので欠落番組内容はスポーツとなる。
【００８６】
補完シーン決定部２４は、過去に放送した番組が記録してある番組記録部２３から放送時刻、放送チャネル、番組名、番組内容を取得し、図５に示すような番組リストを作成する（ステップＳ２５）。
【００８７】
ここで、番組記録部２３は記録内容を確認し、視聴番組の過去の記録にデータ放送が記録されているかを確認する。データ放送が記録されていない場合は、ステップＳ２７へ遷移し、記録されている場合はステップＳ２９へ遷移する（ステップＳ２６）。
【００８８】
補完シーン決定部２４は、番組リストに視聴番組の情報と、視聴番組の過去に放送した情報を追加しておく。番組リストを参照して欠落時刻に放送している番組内容を把握して補完時刻を算出する（ステップＳ２７）。図５において今回の例では７時１３分００秒に欠落しているために欠落した番組内容はスポーツとなる。過去に記録した番組内容から同じスポーツがないかここで照合を行う。図５では同じスポーツが過去の６時１５分００秒から６時３０分００秒に放送されており、この部分を補完シーンとして使用する。欠落開始はスポーツが７時１０分００秒に開始してから３分００秒後なので補完時刻は過去のスポーツが開始してから３分００秒後の６時１８分００秒となる。
【００８９】
補完シーン決定部２４にて算出された補完時刻は補完シーン抽出部２５へ出力される（ステップＳ２８）。また、同時に補完する番組内容も補完シーン抽出部２５へ出力される（ステップＳ２９）。
【００９０】
補完シーン抽出部２５は、取得した補完時刻と補完シーン情報（補完する番組内容）を基にして番組記録部２３に対して該当する補完シーンの抽出を指示する（ステップＳ３０）。
【００９１】
番組記録部２３は、補完シーン抽出部２５の指示に従って該当する補完シーンを探し、補完シーン抽出部２５へ補完シーンを出力する（ステップＳ３１）。
【００９２】
補完シーン抽出部２５は、取得した補完シーンから映像信号、および、データ放送信号を表示制御部６へ、音声信号を音声制御部８へ出力する。表示制御部６および音声制御部８は補完シーン抽出部２５から補完シーンが出力された場合は、その情報を表示部７、および、スピーカ９に対して出力する（ステップＳ３２）。
【産業上の利用可能性】
【００９３】
本発明にかかる放送用受信装置によれば、受信環境が劣化する移動中において放送番組の内容を補完できるため、放送受信機能を備えた、携帯電話、スマートフォン、ＰＤＡ、ノートＰＣなどのモバイル機器、およびカーナビゲーション、ＰＮＤなどの車載機器に有用である。
【符号の説明】
【００９４】
１    放送受信装置
２    アンテナ
３    受信部
４    復合部
５    補完処理部
６    表示制御部
７    表示部
８    音声制御部
９    スピーカ
１０    通信部
１１    時計部
１２    記憶部
１３    ＣＰＵ
２１    受信品質判定部
２２    欠落内容特定部
２３    番組記録部
２４    補完シーン決定部
２５    補完シーン抽出部
２６    補完方法決定部
【図１】
2011176658.tif 000003
【図２】
2011176658.tif 000004
【図３】
2011176658.tif 000005
【図４】
2011176658.tif 000006
【図５】
2011176658.tif 000007
【図６】
2011176658.tif 000008
【図７】
2011176658.tif 000009